(57)【要約】【課題】ユーザの省電力意識を反映させて省電力モードに移行することのできる携帯端末装置、携帯端末装置の省電力制御方法および携帯端末装置の省電力制御プログラムを得ること。【解決手段】通常動作モードから電力消費の低減された特別のモードとしての省電力モードに移行する際に必要とするユーザの操作内容を省電力モード移行操作内容登録手段１１に登録しておき、省電力モード移行操作内容判別手段１２がこの登録内容が発生したことを判別する。省電力モード移行手段１３は、省電力モード移行操作内容登録手段１１に登録されたユーザの操作内容が発生したとき自装置を省電力モードに移行させる。【選択図】図１
2012203763.tif 000002
【特許請求の範囲】
【請求項１】
機器としての通常の電力消費を行うモードとしての通常動作モードから電力消費の低減された特別のモードとしての省電力モードに移行する際に必要とするユーザの操作内容を登録する省電力モード移行操作内容登録手段と、
自装置が通常モードになっているとき、前記省電力モード移行操作内容登録手段に登録されたユーザの操作内容が発生したことを判別する省電力モード移行操作内容判別手段と、
この省電力モード移行操作内容判別手段が前記省電力モード移行操作内容登録手段に登録されたユーザの操作内容が発生したと判別したとき自装置を前記省電力モードに移行させる省電力モード移行手段
とを具備することを特徴とする携帯端末装置。
【請求項２】
前記省電力モード移行操作内容登録手段に登録するユーザの操作内容は、予め定めた操作キーを操作することであることを特徴とする請求項１記載の携帯端末装置。
【請求項３】
前記省電力モード移行操作内容登録手段に登録するユーザの操作内容は、タッチパネルに予め定めた図形を描画することであることを特徴とする請求項１記載の携帯端末装置。
【請求項４】
前記省電力モードに設定されている状態で前記省電力モード移行操作内容登録手段に登録しているユーザの操作内容以外の操作内容が発生したとき、この操作内容を通常モードに移行するための操作内容として判別する通常モード復帰操作内容判別手段と、
この通常モード復帰操作内容判別手段が通常モードに移行するための操作内容として判別したとき省電力モードから前記通常モードに復帰させる通常モード復帰手段
とを具備することを特徴とする請求項１記載の携帯端末装置。
【請求項５】
初期状態として自装置を前記通常モードで動作を開始させることを特徴とする請求項１記載の携帯端末装置。
【請求項６】
前記省電力モード移行操作内容判別手段は、前記タッチパネルに描画する前記予め定めた図形について相似形を含めて判別することを特徴とする請求項３記載の携帯端末装置。
【請求項７】
前記省電力モード移行手段および前記通常モード復帰手段は、割り込み処理でモードの移行を実行することを特徴とする請求項４記載の携帯端末装置。
【請求項８】
起動時に自装置としての携帯端末装置を機器としての通常の電力消費を行うモードとしての通常動作モードで動作を開始させる通常モード動作開始ステップと、
自装置としての前記携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する省電力モード移行操作内容発生判別ステップと、
この省電力モード移行操作内容発生判別ステップで前記省電力モード移行操作内容が発生したと判別したとき自装置としての前記携帯端末装置を前記省電力モードに移行させる省電力モード移行手段
とを具備することを特徴とする携帯端末装置の省電力制御方法。
【請求項９】
前記省電力モードに設定されている状態で前記前記省電力モード移行操作内容以外の操作内容が発生したとき、この操作内容を通常モードに移行するための操作内容として判別する通常モード復帰操作内容判別ステップと、
この通常モード復帰操作内容判別ステップで通常モードに移行するための操作内容として判別したとき省電力モードから前記通常モードに復帰させる通常モード復帰ステップ
とを更に具備することを特徴とする請求項８記載の携帯端末装置の省電力制御方法。
【請求項１０】
コンピュータに、
起動時に自装置としての携帯端末装置を機器としての通常の電力消費を行うモードとしての通常動作モードで動作を開始させる通常モード動作開始処理と、
自装置としての前記携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する省電力モード移行操作内容発生判別処理と、
この省電力モード移行操作内容発生判別処理で前記省電力モード移行操作内容が発生したと判別したとき自装置としての前記携帯端末装置を前記省電力モードに移行させる省電力モード移行処理
とを実行させることを特徴とする携帯端末装置の省電力制御プログラム。
【発明の詳細な説明】
【技術分野】
【０００１】
本発明は、携帯電話機、ＰＨＳ、ＰＤＡ等のバッテリで駆動する携帯端末装置、携帯端末装置の省電力制御方法および携帯端末装置の省電力制御プログラムに関する。
【背景技術】
【０００２】
内蔵するバッテリを電源として使用するＰＨＳ（Personal Handy Phone System）、ＰＤＡ（Personal Data Assistance：個人向け携帯型情報通信機器）等の携帯端末装置は、ユーザが手軽に携行して使用することができる端末装置として広く普及している。これらの携帯端末装置は、高機能化と高性能化が進んでおり、電流消費量がこれと共に増加する傾向がある。したがって、バッテリの容量が従来と同一であれば、携帯端末装置の使用可能な時間が短縮してしまうという不具合が発生する。また携帯端末装置を長時間使用するユーザは予備のバッテリを持ち歩いたり、バッテリを頻繁に充電する必要が生じてしまう。
【０００３】
そこで携帯端末装置の電力消費を低減させてバッテリを長持ちさせるための各種の提案が従来から行われている。本発明に関連する第１の関連技術として、携帯端末装置がバッテリで駆動しているときに商用電源を使用している場合と比較して内蔵のＣＰＵ（Central Processing Unit）等の制御部のデータの処理能力を低下させたり、液晶ディスプレイのバックライトの照度を低下させることが広く行われている。
【０００４】
ところが、この第１の関連技術を採用すると、ユーザが携帯端末装置を使用するときのデータ処理に要する時間が余計に掛かるようになる。また、液晶ディスプレイの照度が低下すると、液晶ディスプレイの表示内容が見にくくなって、データの入力や処理結果の読み取りにミスが発生しやすくなるという問題が発生する。
【０００５】
そこで、本発明に関連する第２の関連技術として、ユーザが携帯端末装置の着信通知に所定時間以内に応答しないときに、その判別時点から省電力モードに移行させて携帯端末装置の電力消費を低減することが提案されている（たとえば特許文献１参照）。一例を挙げると、ユーザが応答しない時間が予め定めた時間以上になったら携帯端末装置のバックライトを消灯するといった省電力モードに移行させる。また、そのとき使用していたアプリケーションソフトウェアの使用を中止して省電力モードに移行させることになる。
【０００６】
図７は、第２の関連技術に基づいた携帯端末装置の省電力制御の様子を表わしたものである。この従来の携帯端末装置ではその電源が投入された時点で、通常の電力制御を行う通常モードが開始する（ステップＳ３０１）。通常モードが開始した後、図示しない制御部は携帯端末装置の操作が所定時間以上行われない状態があると自動的に省電力モードに移行する設定が行われているかをチェックする（ステップＳ３０２）。
【０００７】
省電力モードへ移行しない設定が行われている場合には（ステップＳ３０２：Ｎ）、再びステップＳ３０１に戻る（リターン）処理が行われる。すなわち、ユーザが省電力モードへの移行を可とする設定を行うまで、この携帯端末装置は通常モードで動作を継続することになる。
【０００８】
一方、ユーザが省電力モードへの移行を可とする設定を行っている場合（ステップＳ３０２：Ｙ）、制御部は図示しないタイマによる計時動作を開始させる（ステップＳ３０３）。そして、タイマに設定された所定時間が経過すると（ステップＳ３０４：Ｙ）、その時点から電力消費を節減する省電力モードに移行する（ステップＳ３０５）。省電力モードは、制御部を構成する図示しないＣＰＵ（Central Processing Unit）に対する割り込みが検出されない状態で（ステップＳ３０６：Ｎ）、継続する。
【０００９】
ＣＰＵに対する割り込みが検出されると（ステップＳ３０６：Ｙ）、再びステップＳ３０１に戻る（リターン）処理が行われ、通常モードに復帰する（ステップＳ３０１）。
【００１０】
ところが、この図７に示した第２の関連技術では、携帯端末装置がユーザに通知した後も所定時間経過して省電力モードに移行するまでの間は装置の電力消費が通常通り行われる。たとえば、省電力モードに移行するまでの時間が３分に設定されていたとすると、ユーザに対する通知が行われて３分経過するまではバックライトが明るく点灯したり、各種のアプリケーションソフトウェアが通常通りの電力消費動作を行うことになる。また、第２の関連技術では、携帯端末装置がユーザに応答を要求しない場合には省電力モードに移行しない。
【００１１】
そこで本発明に関連する第３の関連技術として、ユーザがキー操作を所定時間以上行わないと省電力モードに移行すると共に、省電力モードに移行した状態でキー操作が行われたときには省電力モードに移行する直前の動作モードよりも電力消費が低下した動作モードとすることが提案されている。
【先行技術文献】
【特許文献】
【００１２】
【特許文献１】特開２００３−２９７７３号公報（第００２０段落、図１）
【特許文献２】特開２０１０−０６３０５７号公報（第０００８段落、第００２９段落、図４）
【発明の概要】
【発明が解決しようとする課題】
【００１３】
しかしながら、第３の関連技術でもユーザが所定時間以上キー操作を行わないことが現実に判明するまで省電力モードに移行しない。したがって、ユーザに急用が発生して携帯端末装置の操作を放り出してしまったような場合の節電対策として第３の関連技術は有効であるが、ユーザができるだけ早く節電モードに移行させたくても、予め用意された省電力モードへの移行時間の中から最短の時間を予め設定しておくしかなかった。
【００１４】
ところが、省電力モードへの移行時間をたとえば３分から３０秒に短縮する設定を行うと、ユーザが携帯端末装置を使用中に表示内容を見ながら文字等のデータの入力内容を考えている間に省電力モードに移行してしまい、ディスプレイの表示が消えたり暗くなってしまうという不具合か生じることになった。また、第３の関連技術では、省電力モードに一度移行した後にユーザが再度入力操作を開始すると通常モードに復帰するがディスプレイの表示の明るさが以前よりも低下した状態になって電力消費を節減する。このため、ディスプレイの表示が先の通常モードの場合よりも暗くなって入力操作に支障が出る可能性がある。
【００１５】
そこで本発明の目的は、ユーザの省電力意識を反映させて省電力モードに移行することのできる携帯端末装置、携帯端末装置の省電力制御方法および携帯端末装置の省電力制御プログラムを提供することにある。
【課題を解決するための手段】
【００１６】
本発明では、（イ）機器としての通常の電力消費を行うモードとしての通常動作モードから電力消費の低減された特別のモードとしての省電力モードに移行する際に必要とするユーザの操作内容を登録する省電力モード移行操作内容登録手段と、（ロ）自装置が通常モードになっているとき、前記した省電力モード移行操作内容登録手段に登録されたユーザの操作内容が発生したことを判別する省電力モード移行操作内容判別手段と、（ハ）この省電力モード移行操作内容判別手段が前記した省電力モード移行操作内容登録手段に登録されたユーザの操作内容が発生したと判別したとき自装置を前記した省電力モードに移行させる省電力モード移行手段とを携帯端末装置が具備する。
【００１７】
また、本発明では、（イ）起動時に自装置としての携帯端末装置を機器としての通常の電力消費を行うモードとしての通常動作モードで動作を開始させる通常モード動作開始ステップと、（ロ）自装置としての前記した携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する省電力モード移行操作内容発生判別ステップと、（ハ）この省電力モード移行操作内容発生判別ステップで前記した省電力モード移行操作内容が発生したと判別したとき自装置としての前記した携帯端末装置を前記した省電力モードに移行させる省電力モード移行手段とを携帯端末装置の省電力制御方法が具備する。
【００１８】
更に本発明では、コンピュータに携帯端末装置の省電力制御プログラムとして、（イ）起動時に自装置としての携帯端末装置を機器としての通常の電力消費を行うモードとしての通常動作モードで動作を開始させる通常モード動作開始処理と、（ロ）自装置としての前記した携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する省電力モード移行操作内容発生判別処理と、（ハ）この省電力モード移行操作内容発生判別処理で前記した省電力モード移行操作内容が発生したと判別したとき自装置としての前記した携帯端末装置を前記した省電力モードに移行させる省電力モード移行処理とを実行させる。
【発明の効果】
【００１９】
以上説明したように本発明によれば、携帯端末装置を使用していないときユーザの意思によって直ちに省電力モードに移行させることができ、バッテリの持続時間を延ばすことができる。また、ユーザが電力消費を自主的に節減する意識を高めることができる。
【図面の簡単な説明】
【００２０】
【図１】本発明の携帯端末装置のクレーム対応図である。
【図２】本発明の携帯端末装置の省電力制御方法のクレーム対応図である。
【図３】本発明の携帯端末装置の省電力制御プログラムのクレーム対応図である。
【図４】本発明の実施の形態による携帯端末装置の構成の要部を表わしたブロック図である。
【図５】本実施の形態の省電力モードへの移行に関する設定を行う省電力設定画面の表示内容の一例を示した平面図である。
【図６】本実施の形態における携帯端末装置の通常モードと省電力モードの切替制御の様子を表わした流れ図である。
【図７】第２の関連技術に基づいた携帯端末装置の省電力制御の様子を表わした流れ図である。
【発明を実施するための形態】
【００２１】
図１は、本発明の携帯端末装置のクレーム対応図を示したものである。本発明の携帯端末装置１０は、省電力モード移行操作内容登録手段１１と、省電力モード移行操作内容判別手段１２と、省電力モード移行手段１３を備えている。ここで、省電力モード移行操作内容登録手段１１は、機器としての通常の電力消費を行うモードとしての通常動作モードから電力消費の低減された特別のモードとしての省電力モードに移行する際に必要とするユーザの操作内容を登録する。省電力モード移行操作内容判別手段１２は、自装置が通常モードになっているとき、省電力モード移行操作内容登録手段１１に登録されたユーザの操作内容が発生したことを判別する。省電力モード移行手段１３は、省電力モード移行操作内容判別手段１２が省電力モード移行操作内容登録手段１１に登録されたユーザの操作内容が発生したと判別したとき自装置を前記した省電力モードに移行させる。
【００２２】
図２は、本発明の携帯端末装置の省電力制御方法のクレーム対応図を示したものである。本発明の携帯端末装置の省電力制御方法２０は、通常モード動作開始ステップ２１と、省電力モード移行操作内容発生判別ステップ２２と、省電力モード移行手段２３を備えている。ここで、通常モード動作開始ステップ２１では、起動時に自装置としての携帯端末装置を機器としての通常の電力消費を行うモードとしての通常動作モードで動作を開始させる。省電力モード移行操作内容発生判別ステップ２２では、自装置としての前記した携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する。省電力モード移行手段２３では、省電力モード移行操作内容発生判別ステップ２２で前記した省電力モード移行操作内容が発生したと判別したとき自装置としての前記した携帯端末装置を前記した省電力モードに移行させる。
【００２３】
図３は、本発明の携帯端末装置の省電力制御プログラムのクレーム対応図を示したものである。本発明の携帯端末装置の省電力制御プログラム３０は、コンピュータに、通常モード動作開始処理３１と、省電力モード移行操作内容発生判別処理３２と、省電力モード移行処理３３を実行させるようにしている。ここで、通常モード動作開始処理３１では、起動時に自装置としての携帯端末装置を機器としての通常の電力消費を行うモードとしての通常動作モードで動作を開始させる。省電力モード移行操作内容発生判別処理３２では、自装置としての前記した携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する。省電力モード移行処理３３では、省電力モード移行操作内容発生判別処理３２で前記した省電力モード移行操作内容が発生したと判別したとき自装置としての前記した携帯端末装置を前記した省電力モードに移行させる。
【００２４】
＜発明の実施の形態＞
【００２５】
次に本発明の実施の形態を説明する。
【００２６】
図４は、本発明の実施の形態による携帯端末装置の構成の要部を表わしたものである。本実施の形態の携帯端末装置１００は、たとえば一般的なキーボードを具備あるいは表示できる携帯電話機として製品化されるものであり、ＣＰＵ（Central Processing Unit）１０１を搭載している。ＣＰＵ１０１はバスを介して携帯端末装置１００内の次の各部と接続している。
【００２７】
メモリ１０２は、ＲＡＭ（Random Access Memory）やＲＯＭ（Read Only Memory）によって構成されており、その一部の領域に制御プログラムを格納している。ＣＰＵ１０１はこの制御プログラムを実行することで、携帯端末装置１００の各部を制御する。
【００２８】
無線部１０３は無線によって図示しない無線基地局とデータの送受信を行う。電源制御部１０４は、バッテリ１０５から得られる電源を携帯端末装置１００の各部に給電する制御を行う。操作部１０６は、各種のキーやタッチパネルからなり、ユーザの入力操作を受け付ける回路部分である。
【００２９】
省電力モード記憶部１０７は、ユーザが設定した省電力モードを記憶するメモリであり、メモリ１０２とは別の不揮発性メモリで構成されている。もちろん、メモリ１０２の一部の領域に構成してもよい。タイマ部１０８は、省電力制御を行う際の「所定時間」を計時する回路である。ユーザが設定した「所定時間」は、省電力モード記憶部１０７に記憶される。
【００３０】
表示部１０９は携帯端末装置１００を構成する装置本体の前面に配置されており、液晶ディスプレイあるいは有機ＥＬディスプレイ（organic electroluminescence display）によって構成されている。本実施の形態では表示部１０８がカラー液晶パネルで構成されている。また、カラー液晶パネルにはタッチパネルが取り付けられており、ユーザが指またはペンでこれを押圧すると、その箇所の座標データが入力されるようになっている。
【００３１】
図５は、省電力モードへの移行に関する設定を行う省電力設定画面の表示内容の一例を示したものである。ユーザは、図４に示した携帯端末装置１００の操作部１０６から所定の操作を行って、表示部１０９に省電力設定画面１２１を表示することができる。図４と共に説明する。
【００３２】
省電力設定画面１２１には、省電力モードへの自動移行に関する設定項目と、省電力モードへの強制移行に関する設定項目が表示されている。また、省電力設定画面１２１の右上には設定内容を更新する際に押下する更新ボタン１２２と、省電力設定モードを終了して操作画面を前の画面に戻す際に押下する戻るボタン１２３が配置されている。
【００３３】
省電力モードへの自動移行に関して、ユーザは省電力モードに「移行しない」という選択肢と「移行する」という選択肢のいずれかをラジオボタンで選択することができる。省電力モードに「移行する」という選択肢については、操作部１０６に対する操作が行われなくなってから省電力モードに移行するまでのタイマ部１０８の計測する「所定時間」を分単位で数値入力領域１２４に入力するようになっている。この例ではユーザが操作部１０６の図示しないテンキーを使用して所望の数値を入力することになるが、予め表示された幾つかの時間の中からラジオボタンでユーザが所望の時間を選択するようにしてもよいし、その他の周知の手法で「所定時間」を入力してもよい。
【００３４】
省電力モードへの強制移行とは、ユーザがある操作を行った時点で直ちに省電力モードに移行することをいう。ユーザは省電力モードへの強制移行を可としないとき「移行しない」というラジオボタンを選択する。省電力モードへの強制移行を可とするとき、ユーザは「移行する」というラジオボタンを選択する。
【００３５】
省電力モードへの強制移行の設定を行う場合、ユーザは操作部１０６のキー操作によって省電力モードへの移行を実行するか、操作部１０６の一部を構成するタッチパネルからの図形入力によってこの移行を実行するかをラジオボタンで選択することができる。キー操作で省電力モードへ強制移行する場合、本実施の形態でユーザはｃｔｒｌ（コントロール）キーと同時に押すキーをキー入力領域１２５に入力する。ただし、ｃｔｒｌキーと同時に押すキーとして携帯端末装置１００で既に他の処理が規定されているキーを入力しようとしても、入力できないようになっている。たとえばｃｔｒｌキーと「ｃ」という英字の組み合わせは、コピーを指示するショートカットとして用いられているので、キー入力領域１２５に「ｃ」という英字を入力することができない。携帯端末装置１００によっては他のキーの組み合わせで省電力モードへの強制移行の設定を行ってもよい。もちろん、ユーザがｃｔｒｌキーと「ｃ」という英字の組み合わせのような既存のコマンドに対応するショートカットを指定した場合には、これを省電力モードへの強制移行のためのコマンドとして優先的に処理するようにしてもよい。
【００３６】
タッチパネルに対する図形の入力で省電力モードへの強制移行の設定を行う場合、ユーザは予め用意された２つの図形のいずれかを選択するか、ユーザが設定した任意の図形を登録して使用するかを選択することができる。本実施の形態では、予め用意された２つの図形は○（丸）か、左下から右上に至る斜線である。これらは表示部１０９を構成する画面の３分の２以上の大きさでユーザがタッチパネルを使用して描くと、その図形に伴う座標の変化がＣＰＵ１０１によって認識された時点で、省電力モードへの移行が直ちに行われる。
【００３７】
省電力モードへの強制移行をユーザが設定した任意図形で行う場合、ユーザは開始ボタン１２６を押してから５秒以内にタッチパネルに所望の図形を一筆書きで入力する。すると、このときのタッチパネルから入力された座標の軌跡が省電力モード記憶部１０７に登録される。この場合、ユーザが「任意図形」のラジオボタンを選択すると、ＣＰＵ１０１は常に「任意図形」で登録された図形と相似形の図形が入力されるかを監視して、その図形が入力された時点で省電力モードへ直ちに移行することになる。
【００３８】
ユーザは省電力設定画面１２１が表示された状態で各種の設定やラジオボタンの選択をいつでも行うことができ、更新ボタン１２２を押すことでその最新の設定内容を省電力モード記憶部１０７に上書き（更新）することができる。
【００３９】
図６は、携帯端末装置の通常モードと省電力モードの切替制御の様子を表わしたものである。図４および図５と共に説明する。この切替制御は、ＣＰＵ１０１がメモリ１０２に格納された制御プログラムを実行することで実現する。
【００４０】
ＣＰＵ１０１は、ユーザが操作部１０６の図示しない電源スイッチを操作することで携帯端末装置１００の各部にバッテリ１０５の電源の供給を開始させると電源制御部１０４を通常モードに設定する（ステップＳ２０１）。ここで通常モードとは、携帯端末装置１００の表示部１０９の照度等の各部が節電状態とは異なった通常の状態で電力消費が行われるモードをいう。
【００４１】
ＣＰＵ１０１は通常モードに設定した状態で省電力モード記憶部１０７の内容を読み出して、省電力設定画面１２１における「省電力モードへの自動移行」の項目が「移行する」に設定されているかをチェックする（ステップＳ２０２）。この結果、この項目が「移行しない」に設定されていれば（Ｎ）、通常モードが常に設定されることになっているので、ステップＳ２０１の処理に戻る。すなわち、通常モードに設定している間、携帯端末装置１００は節電モードには移行しない。
【００４２】
一方、ステップＳ２０２におけるチェックの結果、「省電力モードへの自動移行」の項目が「移行する」に設定されていることを判別した場合（Ｙ）、ＣＰＵ１０１はタイマ部１０８の計時動作を最初から開始させる（ステップＳ２０３）。具体的には省電力設定画面１２１で「移行までの所要時間」として設定した時間をタイマ部１０８のタイマ回路に設定して計時動作を直ちに開始させる。タイマ回路は、携帯端末装置１００の内部クロックを分周したり、図示しない時計回路の計時情報を用いることで実現することができる。
【００４３】
ＣＰＵ１０１はタイマ部１０８の計時動作を開始させたら、続いて省電力設定画面１２１でユーザが「省電力モードへの強制移行」を設定しているかを判別する（ステップＳ２０４）。「省電力モードへの強制移行」を設定している場合には（Ｙ）、省電力設定画面１２１に示すキー操作あるいは図形の入力があって強制移行の条件を満足したかどうかを判別する（ステップＳ２０５）。この条件が満足しない間は（Ｎ）、ステップＳ２０４に処理を戻すことになる。
【００４４】
たとえば省電力設定画面１２１に一例として示したように、ｃｔｒｌキーと「ｕ」という英字を強制移行のキー操作として指定していたとして、ユーザがこの条件を満足するキー操作を行ったとする（ステップＳ２０５：Ｙ）。この場合、ＣＰＵ１０１は携帯端末装置１００の各部を直ちに省電力モードに移行させて（ステップＳ２０６）、予め定めた内容で電力消費を節電する。たとえば、表示部１０９が液晶ディスプレイで構成されている場合のバックライトの電力消費を節減したり、使用していないアプリケーションプログラムの動作を停止してＣＰＵ１０１の使用率を下げる。
【００４５】
省電力モードが実行されている状態で、ＣＰＵ１０１はユーザが操作部１０６を操作したり、着信があった場合のように予め定めたイベントにより割り込みが生じたかをチェックする（ステップＳ２０７）。そして、割り込みが生じるまでは（Ｎ）、ステップＳ２０６に戻って省電力モードを継続する。ＣＰＵ１０１に対する割り込みが生じたら（ステップＳ２０７：Ｙ）、ステップＳ２０１に戻って（リターン）、通常モードに復帰する。
【００４６】
一方、ステップＳ２０４で強制移行の設定が行われていないとＣＰＵ１０１が判別した場合（Ｎ）、省電力モードへの自動移行の制御が行われる。すなわち、ＣＰＵ１０１はタイマ部１０８の計時が所定時間行われて満了する前に（ステップＳ２０８：Ｎ）、割り込みが検出されるかをチェックする（ステップＳ２０９）。そして、タイマ部１０８の計時が満了するまでに割り込みが検出された場合には（ステップＳ２０８：Ｎ、ステップＳ２０９：Ｙ）、ステップＳ２０１に戻って（リターン）、通常モードに復帰する。割り込み処理が行われることなくタイマ部１０８の計時が所定時間に達した場合には（ステップＳ２０９：Ｎ、ステップＳ２０８：Ｙ）、ステップＳ２０６に進んで、その時点でＣＰＵ１０１は携帯端末装置１００の各部を省電力モードに移行させて、予め定めた内容で電力消費を節電することになる。
【００４７】
以上説明したように本実施の形態によれば、ユーザはバッテリ１０５の容量が少なくなったような場合でも、ユーザはタッチパネルを含めた操作部１０６の操作によって簡単に、かつ直ちに携帯端末装置１００を省電力モードに移行させることができる。これにより、ＣＰＵ１０１の使用率を直ちに下げることができ、携帯端末装置１００をシャットダウンしたり休止モードに移行させる場合と比べるとこまめな省電力制御が可能となる。また、携帯端末装置１００を通常の動作状態に戻すのも通常モードへ切り替えるだけで直ちに実現できる。このため、携帯端末装置１００のバッテリ１０５による実質的な駆動時間をユーザの意志で簡単に延長することができる。
【００４８】
また、省電力モードが表示部１０９の表示をオフにする制御を伴うものであれば、ユーザはこまめに省電力モードに切り替えることにより、公共交通機関に乗車している場合のように不特定人が周囲にいる環境で情報の漏洩を極力避けることが可能になる。更に、本実施の形態はユーザが意思をもって省電力を心掛ける習慣を育てることに繋がり、家庭や職場での省電力の取り組にも好結果を及ぼすことになる。
【００４９】
なお、実施の形態ではキーボードを使用できる携帯電話機としての携帯端末装置を例として挙げたが、たとえば電話機能を持たず電子メールの通信機能を有する携帯端末装置等のその他の携帯端末装置にも本発明を適用することができることは当然である。
【００５０】
また、実施の形態ではキー操作で省電力モードに移行する際には複数のキーを同時に押下する操作を行うことにしたが、特別のキーを省電力モードに移行するためのキーとして割り当てるようにしてもよい。この場合には、いわゆるワンタッチキーの操作で携帯端末装置１００を省電力モードに移行させることができる。
【００５１】
以上説明した実施の形態の一部または全部は、以下の付記のようにも記載されるが、以下の記載に限定されるものではない。
【００５２】
（付記１）
機器としての通常の電力消費を行うモードとしての通常動作モードから電力消費の低減された特別のモードとしての省電力モードに移行する際に必要とするユーザの操作内容を登録する省電力モード移行操作内容登録手段と、
自装置が通常モードになっているとき、前記省電力モード移行操作内容登録手段に登録されたユーザの操作内容が発生したことを判別する省電力モード移行操作内容判別手段と、
この省電力モード移行操作内容判別手段が前記省電力モード移行操作内容登録手段に登録されたユーザの操作内容が発生したと判別したとき自装置を前記省電力モードに移行させる省電力モード移行手段
とを具備することを特徴とする携帯端末装置。
【００５３】
（付記２）
前記省電力モード移行操作内容登録手段に登録するユーザの操作内容は、予め定めた操作キーを操作することであることを特徴とする付記１記載の携帯端末装置。
【００５４】
（付記３）
前記省電力モード移行操作内容登録手段に登録するユーザの操作内容は、タッチパネルに予め定めた図形を描画することであることを特徴とする付記１記載の携帯端末装置。
【００５５】
（付記４）
前記省電力モードに設定されている状態で前記省電力モード移行操作内容登録手段に登録しているユーザの操作内容以外の操作内容が発生したとき、この操作内容を通常モードに移行するための操作内容として判別する通常モード復帰操作内容判別手段と、
この通常モード復帰操作内容判別手段が通常モードに移行するための操作内容として判別したとき省電力モードから前記通常モードに復帰させる通常モード復帰手段
とを具備することを特徴とする付記１記載の携帯端末装置。
【００５６】
（付記５）
初期状態として自装置を前記通常モードで動作を開始させることを特徴とする付記１記載の携帯端末装置。
【００５７】
（付記６）
前記省電力モード移行操作内容判別手段は、前記タッチパネルに描画する前記予め定めた図形について相似形を含めて判別することを特徴とする付記３記載の携帯端末装置。
【００５８】
（付記７）
前記省電力モード移行手段および前記通常モード復帰手段は、割り込み処理でモードの移行を実行することを特徴とする付記４記載の携帯端末装置。
【００５９】
（付記８）
起動時に自装置としての携帯端末装置を機器としての通常の電力消費を行うモードとしての通常動作モードで動作を開始させる通常モード動作開始ステップと、
自装置としての前記携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する省電力モード移行操作内容発生判別ステップと、
この省電力モード移行操作内容発生判別ステップで前記省電力モード移行操作内容が発生したと判別したとき自装置としての前記携帯端末装置を前記省電力モードに移行させる省電力モード移行手段
とを具備することを特徴とする携帯端末装置の省電力制御方法。
【００６０】
（付記９）
前記省電力モードに設定されている状態で前記前記省電力モード移行操作内容以外の操作内容が発生したとき、この操作内容を通常モードに移行するための操作内容として判別する通常モード復帰操作内容判別ステップと、
この通常モード復帰操作内容判別ステップで通常モードに移行するための操作内容として判別したとき省電力モードから前記通常モードに復帰させる通常モード復帰ステップ
とを更に具備することを特徴とする付記８記載の携帯端末装置の省電力制御方法。
【００６１】
（付記１０）
コンピュータに、
起動時に自装置としての携帯端末装置を機器としての通常の電力消費を行うモードとしての通常動作モードで動作を開始させる通常モード動作開始処理と、
自装置としての前記携帯端末装置が通常モードになっているとき、通常動作モードから電力消費の低減された特別のモードとしての省電力モードに移行する際に必要とするユーザの操作内容を登録した省電力モード移行操作内容を参照して、この操作内容の発生を判別する省電力モード移行操作内容発生判別処理と、
この省電力モード移行操作内容発生判別処理で前記省電力モード移行操作内容が発生したと判別したとき自装置としての前記携帯端末装置を前記省電力モードに移行させる省電力モード移行処理
とを実行させることを特徴とする携帯端末装置の省電力制御プログラム。
【００６２】
（付記１１）
前記省電力モードに設定されている状態で前記前記省電力モード移行操作内容以外の操作内容が発生したとき、この操作内容を通常モードに移行するための操作内容として判別する通常モード復帰操作内容判別処理と、
この通常モード復帰操作内容判別処理で通常モードに移行するための操作内容として判別したとき省電力モードから前記通常モードに復帰させる通常モード復帰処理
とを更に実行させることを特徴とする付記１０記載の携帯端末装置の省電力制御プログラム。
【符号の説明】
【００６３】
１０、１００  携帯端末装置
１１  省電力モード移行操作内容登録手段
１２  省電力モード移行操作内容判別手段
１３  省電力モード移行手段
２０  携帯端末装置の省電力制御方法
２１  通常モード動作開始ステップ
２２  省電力モード移行操作内容発生判別ステップ
２３  省電力モード移行ステップ
３０  携帯端末装置の省電力制御プログラム
３１  通常モード動作開始処理
３２  省電力モード移行操作内容発生判別処理
３３  省電力モード移行処理
１０１  ＣＰＵ
１０２  メモリ
１０４  電源制御部
１０５  バッテリ
１０６  操作部
１０７  省電力モード記憶部
１０８  タイマ部
１０９  表示部
【図１】
2012203763.tif 000003
【図２】
2012203763.tif 000004
【図３】
2012203763.tif 000005
【図４】
2012203763.tif 000006
【図５】
2012203763.tif 000007
【図６】
2012203763.tif 000008
【図７】
2012203763.tif 000009